(57)【特許請求の範囲】
【請求項１】
第１のパケット通信装置から第２のパケット通信装置に伝送路を介して符号化されたパケット信号を送信し、第１のパケット通信装置における電源断により送信が停止する前に第２のパケット通信装置に電源断を通知するパケット通信システムの電源断通知方法において、
第１のパケット通信装置は、電源断を検知したとき、ｐ個の電源断符号セットを連続して送信し、
前記第１のパケット通信装置は、前記ｐ個の電源断符号セットを連続して送信した後にｐ’個のアイドル符号セットを連続して送信する電源断時送信処理を繰り返し、
第２のパケット通信装置は、ｑ個（ｑ≦ｐ）の連続する電源断符号セットを受信したとき、電源断検知処理を行うことを特徴とするパケット通信システムの電源断通知方法。
【請求項２】
第１のパケット通信装置から第２のパケット通信装置に伝送路を介して符号化されたパケット信号を送信し、第１のパケット通信装置における電源断により送信が停止する前に第２のパケット通信装置に電源断を通知するパケット通信システムの電源断通知方法において、
第１のパケット通信装置は、電源断を検知したとき、ｐ個の電源断符号セットを連続して送信し、
前記第１のパケット通信装置は、前記ｐ個の電源断符号セットを連続して送信した後にｐ’個のアイドル符号セットを連続して送信する電源断時送信処理を繰り返し、
前記第１のパケット通信装置と前記第２のパケット通信装置の間の伝送路上に設置されている中継ノードが、前記第１のパケット通信装置から送信された前記アイドル符号セットを抜いて、自ノードで発生したクロックに同期して発生したアイドル符号セットを挿入し前記第２のパケット通信装置へ中継し、
第２のパケット通信装置は、ｑ個（ｑ≦ｐ）の連続する電源断符号セットを受信したとき、電源断検知処理を行う
ことを特徴とするパケット通信システムの電源断通知方法。
【請求項３】
前記パケット信号の符号規則が、ｍｂ／ｎｂ符号規則（ｎ＞ｍ）であり、前記電源断符号セットを複数個のｎビット長の符号から構成し、少なくとも１個の符号を、ｍｂ／ｎｂ符号規則に従わないビットパターンを有する符号とすることを特徴とする請求項１又は請求項２記載のパケット通信システムの電源断通知方法。
【請求項４】
符号化されたパケット信号を受信側のパケット通信装置に送信するパケット通信装置において、
電源断を検知する電源断検知手段と、
前記電源断検知手段が電源断を検知したとき、ｐ個の電源断符号セットを連続して送信し、さらに前記ｐ個の電源断符号セットを連続して送信した後にｐ’個のアイドル符号セットを連続して送信することを繰り返す電源断処理手段と
を設けたことを特徴とするパケット通信装置。
【請求項５】
符号化されたパケット信号を受信側のパケット通信装置に送信するパケット通信回路において、
電源断を検知する電源断検知手段と、
前記電源断検知手段が電源断を検知したとき、ｐ個の電源断符号セットを連続して送信し、さらに前記ｐ個の電源断符号セットを連続して送信した後にｐ’個のアイドル符号セットを連続して送信することを繰り返す電源断処理手段と
を設けたことを特徴とするパケット通信回路。
【請求項６】
符号化されたパケット信号を受信側のパケット通信装置に送信するパケット通信装置のコンピュータに実行させるプログラムであって、
電源断を検知する電源断検知処理と、
前記電源断検知手段が電源断を検知したとき、ｐ個の電源断符号セットを連続して送信し、さらに前記ｐ個の電源断符号セットを連続して送信した後にｐ’個のアイドル符号セットを連続して送信することを繰り返す電源断処理処理と
をコンピュータに実行させるプログラム。
【請求項７】
符号化されたパケット信号を受信側のパケット通信装置に送信するパケット通信装置のコンピュータに実行させるプログラムを記憶する記録媒体であって、
電源断を検知する電源断検知処理と、
前記電源断検知手段が電源断を検知したとき、ｐ個の電源断符号セットを連続して送信し、さらに前記ｐ個の電源断符号セットを連続して送信した後にｐ’個のアイドル符号セットを連続して送信することを繰り返す電源断処理処理と
をコンピュータに実行させるプログラムを記憶する記録媒体。
【発明の詳細な説明】
【０００１】
【発明の属する技術分野】
本発明は、パケット信号を通信するパケット通信システムにおいて、遠隔ノードの保守運用監視の１つとして、遠隔ノードからの信号が停止した場合に、遠隔ノードの電源断によるものか否かを判別するために、遠隔ノードが電源断を通知する場合等に用いて好適なパケット通信回路、パケット通信装置、電源断通知方法、上記パケット通信回路、装置におけるコンピュータが実行するプログラム及びこのプログラムを記録した記録媒体に関するものである。
【０００２】
【従来の技術】
従来技術として、ここではＳＤＨ（Synchronous Digital Hierarchy ）通信システムについて図１２〜図１４を参照して説明する。
図１２はＳＤＨフレームの構造を示すもので、ＳＤＨフレームのオーバーヘッドの一部（Ｚ２のｂ７＆ｂ８）を電源断情報として用いている。
【０００３】
図１３（ａ）に示すような、ノード１からのＳＤＨ信号を伝送路を通じてノード２に送信する通信システムにおいて、上記電源断情報は、図１３（ｂ）のように１２５μｓ周期でノード１からノード２に送信される。ノード１は、通常はＺ２のｂ７＆ｂ８を“００”として送信する。ノード１の電源スイッチがＯＮからＯＦＦに変化した場合、もしくは電源スイッチがＯＮのとき元電源が断となった場合に、Ｚ２のｂ７＆ｂ８を“０１”として、１２周期（１５００μｓ）以上送信する。
そして、図１３（ｃ）のようにノード２は、受信したＺ２のｂ７＆ｂ８の値が、６周期（７５０μｓ）にわたって継続して“０１”であるとき、ノード１が電源断であると判定する。
【０００４】
図１４はノード１としての従来のパケット通信装置の構成を示すブロック図である。
図１４において、ペイロード出力部５００は、ＳＤＨのペイロード部分の信号を出力する。オーバーヘッド送信処理部２００は、送信するオーバーヘッド情報を生成する。オーバーヘッド書込部３００は、オーバーヘッドの書込みを行うと共に、電源断検知信号の入力の有無に応じてＺ２のｂ７＆ｂ８を設定する。光送信部４００は、オーバーヘッド書込部３００からの電気信号を光信号に変換して送信する。
【０００５】
電源供給部６００は、装置全体に電源を供給すると共に電源断検知信号を出力する。また、電力蓄積部６０１を有し、上記電源断検知信号を出力後、少なくとも１５００μｓの期間にわたって電力蓄積部６０１に蓄積された電力をノードの電源として各部に供給し続ける。電源断検知信号は、電源ＳＷ（スイッチ）のＯＮ→ＯＦＦ又は元電源の断を検知して出力する。
【０００６】
なお、パケット信号を通信するパケット通信システムでは、ＳＤＨと異なり１２５μｓ周期のフレーム構造やオーバーヘッドバイトは存在しないが、例えば特願２０００−１１７０２７号の先願発明に示される方法を用いてＳＤＨのオーバヘッドバイトに相当する制御情報の通信を行うことにより、パケット通信システムにおいても、ＳＤＨ通信システムと同じようにして電源断情報の受信側への通知が可能である。
【０００７】
図１５〜図１７は上記先願発明に示される実施の形態を示す。
本実施の形態は、既存の同期通信システムの通信方式と異なる通信方式において、制御情報を共通化し、制御情報の通信速度を合わせることによって、既存の同期通信システムのフレームによる通信と同じ機構を仮想的に実現するものである。これにより、フレームを用いた同期通信システムのオーバーヘッド情報をフレーム周期で通信（バーチャルフレーム）することによって、オペレーションから見たときに差異のない通信システムを実現することができる。
【０００８】
図１５は既存の同期通信システム７と、これとは通信方式の異なる新規プロトコルの新通信システム７’とを接続した統合ネットワークＡ１の実施の形態を示す。
この統合ネットワークＡ１は、同期通信システム７と、新通信システム７’と、これらを接続する通信方式変換ノードＡ２から構成される。
【０００９】
また、同期通信システム７及び新通信システム７’には、それぞれネットワークオペレーション部１００が設けられている。このネットワークオペレーション部１００は、後述するように、ＳＤＨフレームオーバーヘッド処理方式に準拠した制御情報処理方式６に従って制御情報３と制御情報３’を処理する。
【００１０】
同期通信システム７は、通信部５０を用いて通信データ２と通信システムの運用保守のための制御情報３を、ＳＤＨフレームを用いた通信方式である同期フレーム通信方式５に従って通信する。
【００１１】
図１６（ａ）は同期フレーム通信方式５により通信される信号の構成を示し、同図（ｂ）は同期フレーム通信方式５のフレーム構造を示す。
図１６（ａ）に示すように同期フレーム方式５では、１２５μｓのフレーム時間４の間隔で継続して、ＳＤＨに準拠したフレーム構造１を持つフレームを用いて通信データ２と制御情報３を送受信する。
【００１２】
図１６（ｂ）に示すように、制御情報３は、中継器セクションオーバーヘッドの各バイトと、端局セクションオーバーヘッドの各バイトと、高次パスオーバーヘッドの各バイトの、全て又はその一部であるｍバイト（ｍは自然数）の制御情報バイト８−１〜８−ｍからなる。運用保守を行うための制御情報３の処理方式である制御情報処理方式６は、ＳＤＨフレームのオーバーヘッド処理方式に準拠する。
【００１３】
図１７は新通信システム７’において通信を行う信号のタイミングチャートの一例である。
新通信システム７’は、通信部５０’を用いて同期フレーム通信方式５と異なる通信方式５’によって１２５μｓのフレーム時間４の間に、通信データ２’と、制御情報３’として１個のブロックがＫ個（Ｋは自然数）の符号から構成されるｍ個の制御情報ブロック８Ｂ−１’〜８Ｂ−ｍ’とを通信する。制御情報ブロック８Ｂ−ｉ’（ｉは１〜ｍ）は、制御情報バイト８−ｉに相当する制御情報バイト８−ｉ’を表す符号を含む。また各ブロックは、これに含まれる制御情報バイトの種別を識別するための、１ビットもしくは複数ビットからなる制御情報識別ビットＣ１，Ｃ２を含む。
【００１４】
制御情報ブロック８Ｂ−ｉ’の送信において、通信データ２’が送信されていない期間を使って、フレーム時間４（１２５μｓ）の間にｍ個の制御情報ブロック８Ｂ−１’〜８Ｂ−ｍ’を送信し終える。１２５μｓ間隔でフレームタイミングを生成し、そのタイミングに応じて制御情報ブロック８Ｂ−１’から順に送信を開始する。８Ｂ−ｍ’まで送信を終えた時点から次のフレームタイミングまでは、次のフレームに相当する制御情報ブロックの送信を開始しない。
【００１５】
制御情報ブロック８Ｂ−ｉ’の受信において、制御情報バイト８−１’を示す制御情報識別ビットが含まれる制御情報ブロックを検知し、この検知タイミングからジッタ成分を取り除くことによりフレームタイミングを再生する。
【００１６】
また、受信した制御情報ブロックの制御情報識別ビットが制御情報バイト８−ｉ’を示す場合、そのブロックから制御情報バイト８−ｉ’を得る。受信されるべき制御情報ブロック８Ｂ−２’〜８Ｂ−ｍ’のうち、制御情報ブロック８Ｂ−ｊ’が受信されなかった場合は、伝送中に制御情報バイト８‐ｊ’に符号誤りが発生したものと判断し、所定の誤り処理を行う。
【００１７】
新通信システム７’の運用保守を行うための制御情報バイト８−ｉ’に対する制御情報処理方式として、同期通信システム７の制御情報処理方式６を適用する。
【００１８】
従って、本実施の形態による通信方式を適用した新通信システム７’によれば、既存の同期通信システム７の制御情報を共通化し、制御情報の通信速度を合わせることによって、既存の同期通信システムのフレームと同等の仮想的なフレームを実現する。
【００１９】
これにより、既存の同期通信システム７の制御情報処理方式６を、そのまま本実施の形態による通信方式を適用した新通信システム７’に採用することができる。
また、既存の同期通信システム７と、本実施の形態による通信方式を適用した新通信システム７’とが混在する統合ネットワークにおいて、制御情報処理方式６に統一できるため、統合ネットワークのオペレーションを既存の同期通信システム７のみから構成された場合と同等に実現することができる。
また、本実施の形態はイーサネット（登録商標）等のパケット通信に用いて好適である。
【００２０】
なお、新通信システム７’の制御情報３’の送信において、ｍ個の制御情報ブロック８Ｂ−１’〜８Ｂ−Ｍ’のうち、デフォルト値に一致する制御情報ブロック８Ｂ−ｉ’については、この送信を行わないことも可能である。その場合、制御情報３’の受信において、所定の時間に制御情報ブロック８Ｂ−ｉ’の受信がなかったことを検知し、これを検知した場合にデフォルト値に一致する制御情報ブロック８Ｂ−１’が受信された場合と同等に処理する。
【００２１】
【発明が解決しようとする課題】
前述したように、図１２、図１３のノード１は、元電源が断となった後、１５００μｓ以上の間、１２５μｓ周期で電源断検知信号を送信し続ける必要がある。この電源断検知信号送信のための電力を得るために、ノード１は、図１４に示すように、１５００μｓ以上の間、元電源に代わって電源を供給可能な電力蓄積部６０１を備えている。従来では、この電力蓄積部の体積によって、装置の小型化が妨げられているという問題があった。
【００２２】
本発明は上記の問題を解決するためになされたもので、装置の小型化を可能にすることを目的としている。
【００２３】
【課題を解決するための手段】
上記の目的を達成するために、本発明によるパケット通信回路においては、電源断を検知する電源断検知手段と、電源の電力を蓄積する電力蓄積手段と、電源から電力を供給されて動作し、パケット信号を入力して送信すると共に、前記電源断検知手段が電源断を検知したとき、電力蓄積手段に蓄積された電力を供給されて動作し、電源断信号を所定時間に連続して出力する送信処理手段とを設けている。
【００２４】
また本発明による、前記電源断検知手段は、電源の電圧を監視し、この電圧が所定電圧より低くなったとき電源断と判定するようにしてよい。
【００２５】
また本発明による電源断通知方法においては、第１のパケット通信装置から第２のパケット通信装置に伝送路を介して符号化されたパケット信号を送信し、第１のパケット通信装置における電源断により送信が停止する前に第２のパケット通信装置に電源断を通知するパケット通信システムの電源断通知方法において、第１のパケット通信装置は、電源断を検知したとき、ｐ個の電源断符号セットを連続して送信し、第２のパケット通信装置は、ｑ個（ｑ≦ｐ）の連続する電源断符号セットを受信したとき、電源断検知処理を行うようにしている。
【００２６】
また本発明において、前記第１のパケット通信装置は、電源断を検知したとき、ｐ個の電源断符号セットを連続して送信した後にｐ’個のアイドル符号セットを連続して送信する電源断時送信処理を繰り返すようにしてよい。
【００２７】
また本発明において、前記パケット信号の符号規則が、ｍｂ／ｎｂ符号規則（ｎ＞ｍ）であり、前記電源断符号セットを複数個のｎビット長の符号から構成し、少なくとも１個の符号を、ｍｂ／ｎｂ符号規則に従わないビットパターンを有する符号とするようにしてよい。
【００２８】
また本発明によるパケット通信装置においては、符号化されたパケット信号を受信側のパケット通信装置に送信するパケット通信装置において、電源断を検知する電源断検知手段と、前記電源断検知手段が電源断を検知したとき、ｐ個の電源断符号セットを連続して送信する電源断処理手段とを設けている。
【００２９】
また本発明における、前記電源断処理手段は、ｐ個の電源断符号セットを連続して送信した後にｐ’個のアイドル符号セットを連続して送信することを繰り返すようにしてよい。
【００３０】
また本発明における、前記パケット信号の符号規則が、ｍｂ／ｎｂ符号規則（ｎ＞ｍ）であり、前記電源断符号セットを複数個のｎビット長の符号から構成し、少なくとも１個の符号を、ｍｂ／ｎｂ符号規則に従わないビットパターンを有する符号とするようにしてよい。
【００３１】
また本発明によるパケット通信装置においては、送信側のパケット通信装置から符号化されたパケット信号を受信するパケット通信装置において、前記送信側のパケット通信装置が電源断を検知したとき連続して送信するｐ個の電源断符号セットのうちｑ個（ｑ≦ｐ）の連続する電源断符号セットを受信したとき電源断を検知する電源断検知処理手段を設けている。
【００３２】
また本発明によるパケット通信回路で用いられるプログラムにおいては、電源断を検知する電源断検知処理と、電源の電力を蓄積する電力蓄積処理と、電源から電力を供給されて動作し、パケット信号を入力して送信すると共に、電源断検知手段が電源断を検知したとき、電力蓄積処理により蓄積された電力を供給されて動作し、電源断信号を所定時間に連続して出力する送信処理とを設けている。
【００３３】
また本発明における、前記電源断検知処理においては、電源の電圧を監視し、この電圧が所定電圧より低くなったとき電源断と判定するようにしてよい。
【００３４】
また本発明による送信側のパケット通信装置で用いられるプログラムにおいては、電源断を検知する電源断検知処理と、前記電源断検知処理により電源断を検知したとき、ｐ個の電源断符号セットを連続して送信する電源断処理とを設けている。
【００３５】
また本発明における、前記電源断処理は、ｐ個の電源断符号セットを連続して送信した後にｐ’個のアイドル符号セットを連続して送信することを繰り返すようにしてよい。
【００３６】
また本発明における、前記パケット信号の符号規則が、ｍｂ／ｎｂ符号規則（ｎ＞ｍ）であり、前記電源断符号セットを複数個のｎビット長の符号から構成し、少なくとも１個の符号を、ｍｂ／ｎｂ符号規則に従わないビットパターンを有する符号とするようにしてよい。
【００３７】
また本発明による、受信側のパケット通信装置で用いられるプログラムにおいては、送信側のパケット通信装置が電源断を検知したとき連続して送信するｐ個の電源断符号セットのうちｑ個（ｑ≦ｐ）の連続する電源断符号セットを受信したとき電源断を検知する電源断検知処理を設けている。
【００３８】
また本発明による、コンピュータ読み取り可能な記録媒体においては、上述のプログラムが記録されている。
【００３９】
【作用】
本発明においては、作用電源断を検知したとき電源断信号を連続して送信するので、受信側では短時間で送信側の電源断を知ることができる。これにより、電源断信号を送信すべき期間を短縮できるので、電力蓄積部が蓄積すべきエネルギー量を削減することが可能となり、電力蓄積部の体積を小さくすることが可能となる。さらに、電力蓄積部が電源を供給する対象を電源断信号を送信するために必要な最小限度の回路であるパケット通信回路のみに限定することができるため、電力蓄積部が蓄積すべきエネルギー量を削減することが可能であり、電力蓄積部の体積を小さくすることが可能となる。電力蓄積部の体積を小さくできるため、パケット通信回路を小型化することができる。なお、本願発明のプログラムにおいては、上述の作用に基づく処理が行われる。
【００４０】
本発明においては、作用電源電圧を監視し、電源電圧が一定値を下回ったとき電源断と判断するため、簡易な回路により電源断検知を実現でき、パケット通信回路の小型化ならびに低コスト化に貢献する。また、多様な要因によって発生する電源断を確実に検知することができる。すなわち、パケット通信回路がパケット通信ノードの装置本体に着脱可能である場合、装置本体の電源断時のみならず、装置本体からパケット通信回路を取り外されたときにも、電源断として検知することができる。なお、本願発明のプログラムにおいては、上述の作用に基づく処理が行われる。
【００４１】
本発明においては、作用通信の基本的な単位である符号を組み合わせた電源断符号セットを、電源断を通知する信号として利用するため、符号を単位として処理を行うパケット通信装置において、その生成・検出が容易となる。さらに、第１のパケット通信装置ではｐ個（ｐは自然数）の電源断符号セットを連続して送信し、第２のパケット通信装置ではｑ個（ｑはｐ以下の自然数）の電源断符号セットを連続して受信したとき第１のパケット通信装置の電源断を検知するため、ｐ、ｑの値を大きくすることによって、容易に電源断通知の信頼性を高めることが可能となる。さらに、第２のパケット通信装置において第１のパケット通信装置の電源断を検出したとき、その時刻を記録するなどの電源断検出処理を行うことにより、受信断の原因解明に利用することができる。
【００４２】
また本発明においては、上記第１のパケット通信装置による作用が得られる。また、本発明のプログラムにおいては、この作用に基づく処理が行われる。
【００４３】
本発明においては、作用第１のパケット通信装置において電源断を検知したとき、電源断符号セットのみならずアイドル符号セットも送信するため、第２のパケット通信装置に至る伝送路上にアイドル符号セットを挿抜する機能をもつ中継ノードが存在するネットワーク構成が可能となる。中継ノードは、中継するパケット信号に含まれるアイドル符号セットを挿抜することによって、中継される信号のジッタを抑圧することが可能である。従って、中継ノードを伝送路上に配置することが可能となり、信号を劣化させることなく第１のパケット通信装置から第２のパケット通信装置までの伝送距離を延長することが可能となる。
【００４４】
なお、本発明においては、上記第１のパケット通信装置による作用が得られる。また、本発明のプログラムにおいては、この作用に基づく処理が行われる。
【００４５】
本発明において第２のパケット通信装置は、電源断符号セットの受信によって第１のパケット通信装置の電源断を知ることが可能であると共に、電源断信号を通常のパケット情報と区別して処理することが可能である。電源断符号セットの受信機構を持たず、ｍｂ／ｎｂ符号規則に従った信号を受信する第２のパケット通信装置が、ｍｂ／ｎｂ符号規則に従わないビットパターンを頻繁に受信するとき受信エラー状態となることを利用し、受信側に対しても、送信側の電源断を検出可能とする。すなわち、Ｃ１，Ｃ２，...,Ｃｓのｓ個（ｓは自然数）のｎビット長の符号から構成される電源断符号セットのうち、少なくとも１個のＣｉ（ｉはｓ以下の自然数）を、ｍｂ／ｎｂ符号化規則によって生成されないビットパターンとすることによって、前記受信側は、この電源断符号セットを受信したとき受信エラー状態となるため、送信側の電源断を警報として受信側に通知することができる。
【００４６】
なお、本発明においては、上記第１のパケット通信装置による作用が得られ、本発明のプログラムにおいては、この作用に基づく処理が行われる。また、本発明においては、上記第２のパケット通信装置による作用が得られ、本発明のプログラムにおいては、この作用に基づく処理が行われる。
【００４７】
【発明の実施の形態】
以下、本発明の第１〜第８の実施の形態を図面を参照して説明する。
図１は本発明の第１の実施の形態によるパケット通信装置の構成及びその動作を示すもので、請求項１に対応するものである。
図１（ａ）において、パケット通信装置は、パケット信号を出力するパケット出力部１０と、パケット通信回路２０と、元電源と電源ＳＷ（スイッチ）のＯＮに基づいて装置の各部に電源を供給する電源供給部３０から構成される。
パケット通信回路２０は、パケット信号送信処理部２１、送信部２２、電源断検知部２３及び電力蓄積部２４から構成される。
【００４８】
パケット信号送信処理部２１は、電源検知部２３から電源断検知信号が入力されないとき、パケット信号をパケット送信信号として出力し、電源断検知信号が入力されたとき、パケット送信信号の出力を停止すると共に、電源断信号を所定時間Ｔの間に連続して出力する。送信部２２は、パケット信号送信処理部２１から出力される信号を送信する。
【００４９】
電源断検知部２３は、パケット通信回路２０の電源断を検知して電源断検知信号をパケット信号送信処理部２１に出力する。電力蓄積部２４は、電源供給部３０からパケット通信回路２０に供給される電源の電力を蓄積し、電源断検知部２３が電源断を検知してからパケット信号送信処理部２１が上記時間Ｔの間に連続して電源断信号を出力し、これを送信部２２が送信するための電力をパケット通信回路２０の各部に供給する。
【００５０】
次に動作について説明する。
図１（ｂ）（ｃ）はパケット信号送信処理部２１の出力信号を示すタイミングチャートである。
電源断検知信号が入力されない場合は、（ｂ）に示すように、符号化されたパケット情報とアイドル符号セットで埋められたパケット間ギャップとが交互に送信されている。この状態において、（ｃ）のように電源断検知信号が入力されると、送信を停止すると共に、時間Ｔの間に連続して電源断信号を出力して受信側に電源断を通知する。この電源断信号を出力するための電力は電力蓄積部２４から得ることができる。
【００５１】
従って、本実施の形態によれば、従来は周期的に電源断信号を送信（例えば１５００μｓの期間に１２５μｓ周期で送信）していたのに対して、電源断信号を時間Ｔの間に連続して出力するので、受信側においては短時間で電源断を知ることができる。従って、電源断信号を送信すべき時間を従来より短縮することができ、このため、電力蓄積部２４が蓄積すべきエネルギーを量を削減することができ、電力蓄積部２４の体積を従来よりも小さくすることができる。
【００５２】
図２は本発明の第２の実施の形態によるパケット通信装置を示すもので、図１（ａ）と対応する部分には同一番号を付して重複する説明は省略する。
本実施の形態は、図１のパケット通信回路２０の送信機能に受信機能を追加したものである。すなわち、図１のパケット信号出力部１０に代えてパケット信号入出力部４０が設けられると共に、パケット通信回路２０には、信号を受信する受信部２５と、受信した信号を処理してパケット信号入出力部４０に出力するパケット信号受信処理部２６が追加されている。
【００５３】
上記構成によっても、第１の実施の形態と同様の動作が行われることにより、同様の効果を得ることができる。これと共に、図２のパケット通信装置を受信側として用いる場合、送信側のパケット通信装置からの電源断信号を検知し処理することができる。
【００５４】
図３は本発明の第３の実施の形態によるパケット通信装置を示すもので、図１（ａ）と対応する部分には同一番号を付して重複する説明は省略する。なお、本実施の形態は請求項２と対応するものである。
図３において、電力蓄積部２４は、ダイオード２４１、コンデンサ２４２及びレギュレータ２４３により図示のように構成されている。
【００５５】
コンデンサ２４２は、電源電圧Ｖｓによる電荷を蓄積する。ダイオード２４１は電源断時にコンデンサ２４２からの電流が電源側に逆流するのを防ぐ。レギュレータ２４３は、コンデンサ２４２からの入力電圧がＶｉ以上のとき動作可能であり、入力電圧を定電圧Ｖｒに安定化して出力する。また、電源断検知部２３は、電源電圧Ｖｓが所定電圧Ｖｔより低くなったとき電源断検知信号を出力するようになされている。
【００５６】
コンデンサ２４２は、電源断検知信号が出力されてからパケット信号送信処理部２１が時間Ｔの間に電源断信号を連続して出力するのに必要な電力を、パケット通信回路２０の各部に供給可能な次の容量Ｃを有する。
Ｃ＞（２・Ｔ・Ｉ・Ｖｒ）／〔ａ・｛（Ｖｔ−Ｖｄ）2 −Ｖｉ2 ｝〕……（１）
但し
Ｖｄ：ダイオード２４１のＯＮ時の電圧降下
ａ：レギュレータ２４３の変換効率
Ｉ：レギュレータ２４３からの上記定電圧Ｖｒが電源断検知部２３、パケット信号送信処理部２１及び送信部２２に供給される場合にこれらの各部に流れる全電流
【００５７】
図４は本発明の第４の実施の形態によるパケット通信装置を示すもので、図２と対応する部分には同一番号を付して重複する説明は省略する。
本実施の形態は、図３のパケット通信回路２０に受信機能を追加したものであり、図２の受信部２５、パケット信号受信処理部２６が追加されている。
従って、この場合における上記（１）式のＩは、レギュレータ２４３から電源断検知部２３、パケット信号送信処理部２１、送信部２２、受信部２５及びパケット信号受信処理部２６に流れる全電流を示している。
上記構成によっても、第１〜第３の実施の形態と同様の動作が行われ、同様の効果を得ることができる。
【００５８】
図５は本発明の第５の実施の形態によるパケット通信装置を示すもので、図２と対応する部分には同一番号を付して重複する説明は省略する。
本実施の形態は、パケット通信装置本体６０に複数のパケット通信回路＃１〜＃Ｎが着脱可能に接続されるようになされたパケット通信装置である。
この場合、各パケット通信回路＃１〜＃Ｎは、上記装置本体６０の電源供給部３０から電圧を受けた状態で着脱可能、すなわち、ホットスワップが可能である。
【００５９】
本実施の形態によれば、電源断のみならず、各パケット通信回路＃１〜＃Ｎの装置本体６０からの取り外しによる電源断も、簡単な回路構成によって受信側に通知することができる。
【００６０】
図６は本発明の第６の実施の形態によるパケット通信システムの構成及び動作を示す。なお、本実施の形態は請求項３に対応するものである。
図６（ａ）はパケット通信装置としてのパケット通信ノード１からの信号を伝送路遅延ｄを有する伝送路を通じて送信し、パケット通信ノード２で受信するパケット通信システムを示す。
同図（ｂ）はパケット通信ノード１の動作及び送信信号を示す。同図（ｃ）はパケット通信ノード２の動作及び受信信号を示す。この受信信号は、パケット通信ノード２における受信部２５及びパケット信号受信処理部２６において処理される。
【００６１】
（ｂ）において、送信信号は時刻ｔから送信開始され、符号化されたパケット信号とアイドル符号セットで埋められたパケット間ギャップとが交互に送信される。この信号は（ｃ）のように、時刻ｔ＋ｄからパケット通信ノード２により受信開始される。
【００６２】
（ｂ）におけるある時刻ｔ１でパケット通信ノード１の電源断が検知されると、電源断信号が出力される。この電源断信号は、本実施の形態においては、図示のように複数個の電源断符号セット７０により構成されている。各電源符号セット７０はｓ個のｎビット長の符号Ｃ１、Ｃ２…Ｃｓで構成される。この電源断符号セット７０がｐ個送信された後、パケット通信ノード１は送信停止となる。
【００６３】
（ｃ）において、受信側では時刻ｔ１＋ｄで電源断符号セット７０を受信する。この電源断符号セット７０を連続してｑ個（ｑ≦ｐ）受信した時刻ｔ’において送信側の電源断と判断する。従って、送信側の送信停止前に電源断を判断することができる。このとき、電源断検出処理において、上記時刻ｔ’を記録しておくことにより、受信断の原因解明等に利用することができる。
【００６４】
図７はパケット通信ノード１の電源断符号セット７０の送信フローを示し、図８はパケット通信ノード２の電源断検出フローを示す。
図７において、パワーオンリセットで初期化した後、電源断の有無を検知し、電源断でなければパケット信号符号を１個送信した後、再度電源断の有無を検知する（ステップＳ１、Ｓ２、以下、ステップ略）。電源断が発生すると、電源断符号セット７０の送信回数を０にセットした後（Ｓ３）、電源断符号セット７０を１個づつ送信し、送信する毎に送信回数を＋１とする（Ｓ４、Ｓ５）。連続してｐ個送信したら送信を停止する（Ｓ６）。
【００６５】
図８において、初期化後、電源断符号セット受信回数を０にセットすると共に、電源断検出状態を０（電源断でない状態）とする（Ｓ１１）。次に、受信断の有無を検知し（Ｓ１２）、受信断が発生したら電源断符号セット７０の符号の１個を受信し（Ｓ１３）、その符号がＣ１、Ｃ２…Ｃｓであるかを順次確認する（Ｓ１４〜Ｓ１８）。全て確認できたら電源断符号セット受信回数に＋１し（Ｓ１９）、電源断符号セット受信回数がｑになったら（Ｓ２０）、受信断検出状態が１になったかを調べ（Ｓ２１）、さらに、実際に受信断状態になったかを調べ（Ｓ２２）、実際に受信断状態になったら、その受信断状態が回復した後、元へ戻る（Ｓ２３）。
【００６６】
図９は本発明の第７の実施の形態によるパケット通信システムの構成及び動作を示す。なお、本実施の形態は請求項４に対応するものである。
図９（ａ）はパケット通信装置としてのパケット通信ノード１からの信号を中継ノード１、中継ノード２を通じて送信し、パケット通信ノード２で受信するパケット通信システムを示す。
同図（ｂ）はパケット通信ノード１の動作及び送信信号を示す。
【００６７】
（ｂ）において、送信信号は時刻ｔから送信開始され、符号化されたパケット信号とアイドル符号セットで埋められたパケット間ギャップとが交互に送信される。この送信信号は中継ノード１、２で順次中継されてパケット通信ノード２で受信される。このとき、各中継ノード１、２では、中継するパケット信号に含まれるアイドル符号セットを抜いて自身で発生したアイドル符号セットを挿入する。すなわち、各中継ノードは受信した信号から再生したクロックではなく、自身で発生したクロックに同期して送信を行うので、中継する信号のジッタを抑圧することができる。
【００６８】
一方、パケット通信ノード１では、電源断検知後は、電源断符号セット７０をｐ個送信した後、ｐ’個のアイドル符号セット８０を送信する。このアイドル符号セット８０が中継ノードにおいて上記のように挿抜されるので、電源断検知後においてもパケット信号中継時と同様に正常な中継を行うことができる。
【００６９】
図１０はパケット通信ノード１の電源断符号セット７０の送信フローを示す。なお、パケット通信ノード２の電源断検出フローは図８と同じである。
図１０において、電源断の有無を検知し、電源断でない場合はパケット信号の符号を１個送信する毎に電源断の有無を検知する（Ｓ３１、Ｓ３２）。電源断が検知されたら、電源断符号セット７０の送信回数を０にセットした後（Ｓ３３）、電源断符号セット７０の送信を開始し、ｐ個送信したら（Ｓ３４、Ｓ３５）、アイドル符号セット８０の送信回数を０にセットする（Ｓ３６）。次に、アイドル符号セット８０の送信を開始し、ｐ’個送信したら電源断符号セット送信回数を０にセットする（Ｓ３７、Ｓ３８、Ｓ３３）。
【００７０】
図１１は本発明の第８の実施の形態によるギガビットＬＡＮ通信システムの構成及び動作を示す。この例では、ＬＡＮとしてイーサネット（登録商標）を用いている。なお、本実施の形態は請求項５に対応するものである。
図１１（ａ）はパケット通信装置としてのギガビットイーサネット（登録商標）通信ノード１からの信号を中継ノード１、中継ノード２を通じて送信し、ギガビットイーサネット（登録商標）通信ノード２で受信するパケット通信システムである。
同図（ｂ）はギガビットイーサネット（登録商標）通信ノード１の動作及び送信信号を示す。なお、ギガビットイーサネット（登録商標）通信ノード１の電源断符号セット送信フローは図７と同じであり、ギガビットイーサネット（登録商標）通信ノード２の電源断検出フローは、図８と同じである。
【００７１】
（ｂ）において、送信信号は時刻ｔから送信開始され、ｍｂ／ｎｂ符号化（図示の例ではｍ＝８、ｎ＝１０）されたイーサネット（登録商標）フレームとフレーム間ギャップとが交互に送信される。この送信信号は中継ノード１、２で順次中継されてギガビットイーサネット（登録商標）通信ノード２で受信される。
【００７２】
ギガビットイーサネット（登録商標）通信ノード１は、電源断検知後は、電源断符号セット７０をｐ＝１６個送信した後、ｐ’＝１６個のアイドル符号セット８０を送信する。この場合、電源断符号セット７０は、以下に示すビットパターンを有する２個の符号Ｃ１、Ｃ２で構成されるものとする。
Ｃ１＝Ｋ２８．５（００１１１１１０１０）
Ｃ２＝０１００１０００１１（８ｂ／１０ｂ符号規則から外れるビットパターンである。ビットパターンとしては００１００１００１１も可能）
【００７３】
また、アイドル符号セット８０は、以下に示すビットパターンを有する２個の符号Ｋ２８．５、Ｄ１６．２で構成される。
Ｋ２８．５＝００１１１１１０１０
Ｄ１６．２＝１００１０００１０１
【００７４】
本実施の形態によれば、電源断符号セット７０の受信機能を持たず、かつｍｂ／ｎｂ符号規則に従った信号を受信するギガビットイーサネット（登録商標）通信ノード２が、ｍｂ／ｎｂ符号規則に従わないビットパターンを頻繁に受信するとき受信エラー状態となることを利用し、送信側の電源断を受信側のノード２において検出可能とする。すなわち、Ｃ１，Ｃ２のｎビット長の符号から構成される電源断符号セット６０のうち、少なくとも１個の符号Ｃｉを、ｍｂ／ｎｂ符号化規則によって生成されないビットパターンとすることによって、上記ノード２は、この電源断符号セット７０を受信したとき受信エラー状態となるため、送信側の電源断を警報として通知することができる。
【００７５】
次に、本発明の実施の形態によるプログラム及びコンピュータ読み取り可能な記録媒体について説明する。
前述の各実施の形態において説明した動作に基づく処理及び各フローチャートに示す処理を、パケット通信回路及びパケット通信装置におけるコンピュータシステムのＣＰＵが実行するためのプログラムは、本発明によるプログラムを構成する。また、このプログラムを記録した記録媒体は本発明によるコンピュータ読み取り可能な記録媒体を構成する。
【００７６】
このプログラムを記録するための記録媒体としては、光磁気ディスク、光ディスク、半導体メモリ、磁気記録媒体等を用いることができ、これらをＲＯＭ、ＲＡＭ、ＣＤ−ＲＯＭ、フレキシブルディスク、メモリカード等に構成して用いてよい。
【００７７】
またこの記録媒体は、インターネット等のネットワークや電話回線等の通信回線を介してプログラムが送信された場合のサーバやクライアントとなるコンピュータシステム内部のＲＡＭ等の揮発性メモリのように、一定時間プログラムを保持するものも含まれる。
【００７８】
また上記プログラムは、このプログラムを記憶装置等に格納したコンピュータシステムから伝送媒体を介して、あるいは伝送媒体中の伝送波により他のコンピュータシステムに伝送されるものであってもよい。上記伝送媒体とは、インターネット等のネットワーク（通信網）や電話回線等の通信回線（通信線）のように情報を伝送する機能を有する媒体をいうものとする。
【００７９】
また、上記プログラムは、前述した機能の一部を実現するためであってもよい。さらに、前述した機能をコンピュータシステムに既に記録されているプログラムとの組み合わせで実現できるもの、いわゆる差分ファイル（差分プログラム）であってもよい。
【００８０】
従って、この記録媒体を各実施の形態のシステム又は装置とは異なるシステム又は装置において用い、そのシステム又は装置のコンピュータがこの記録媒体に記録されたプログラムを実行することによっても、各実施の形態で説明した機能及び効果と同等の機能及び効果を得ることができ、本発明の目的を達成することができる。
【００８１】
【発明の効果】
以上説明したように本発明によれば、電源断を検知したとき電源断信号を連続して送信するので、受信側では短時間で送信側の電源断を知ることができる。これにより、電源断信号を送信すべき期間を短縮できるので、電力蓄積部が蓄積すべきエネルギー量を削減することが可能となり、電力蓄積部の体積を小さくすることが可能となる。さらに、電力蓄積部が電源を供給する対象を電源断信号を送信するために必要な最小限度の回路であるパケット通信回路のみに限定することができるため、電力蓄積部が蓄積すべきエネルギー量を削減することが可能であり、電力蓄積部の体積を小さくすることが可能となる。電力蓄積部の体積を小さくできるため、パケット通信回路を小型化することができる。
【００８２】
また、電源電圧が一定値を以下になったとき電源断と判断するため、簡単な回路により電源断検知を実現でき、パケット通信回路の小型化及び低コスト化を実現することができる。また、多様な要因によって発生する電源断を確実に検知することができる。すなわち、パケット通信回路がパケット通信装置本体に着脱可能である場合、装置本体の電源断時のみならず、装置本体からパケット通信回路を取り外されたときにも、電源断として検知することができる。
【００８３】
また、通信の基本的な単位である符号を組み合わせた電源断符号セットを、電源断を通知する信号として利用するため、符号を単位として処理を行うパケット通信装置において、その生成・検出が容易となる。さらに、送信側である第１のパケット通信装置ではｐ個の電源断符号セットを連続して送信し、受信側である第２のパケット通信装置ではｑ個の電源断符号セットを連続して受信したとき第１のパケット通信装置の電源断を検知するため、ｐ、ｑの値を大きくすることにより、容易に電源断通知の信頼性を高めることが可能となる。さらに、第２のパケット通信装置において第１のパケット通信装置の電源断を検出したとき、その時刻を記録するなどの電源断検出処理を行うことにより、受信断の原因解明に利用することができる。
【００８４】
また、第１のパケット通信装置において電源断を検知したとき、電源断符号セットのみならずアイドル符号セットも送信するため、第２のパケット通信装置に至る伝送路上にアイドル符号セットを挿抜する機能をもつ中継ノードが存在するネットワーク構成が可能となる。中継ノードは、中継するパケット信号に含まれるアイドル符号セットを挿抜することによって、中継される信号のジッタを抑圧することが可能となる。従って、中継ノードを伝送路上に配置することが可能となり、信号を劣化させることなく第１のパケット通信装置から第２のパケット通信装置までの伝送距離を延長することが可能となる。
【００８５】
また、上記第２のパケット通信装置は、電源断符号セットの受信によって第１のパケット通信装置の電源断を知ることが可能であると共に、電源断信号を通常のパケット情報と区別して処理することが可能である。電源断符号セットの受信機構を持たず、ｍｂ／ｎｂ符号規則に従った信号を受信する第２のパケット通信装置が、ｍｂ／ｎｂ符号規則に従わないビットパターンを頻繁に受信するとき受信エラー状態となることを利用し、受信側に対しても、送信側の電源断を検出可能とする。すなわち、Ｃ１，Ｃ２，...,Ｃｓのｓ個（ｓは自然数）のｎビット長の符号から構成される電源断符号セットのうち、少なくとも１個のＣｉを、ｍｂ／ｎｂ符号化規則によって生成されないビットパターンとすることによって、受信側は、この電源断符号セットを受信したとき受信エラー状態となるため、送信側の電源断を受信側に通知することができる。
【図面の簡単な説明】
【図１】  本発明の第１の実施の形態によるパケット通信装置及びその動作を示すブロック図及びタイミングチャートである。
【図２】  本発明の第２の実施の形態によるパケット通信装置及びその動作を示すブロック図及びタイミングチャートである。
【図３】  本発明の第３の実施の形態によるパケット通信回路及びその動作を示すブロック図及びタイミングチャートである。
【図４】  本発明の第４の実施の形態によるパケット通信回路及びその動作を示すブロック図及びタイミングチャートである。
【図５】  本発明の第５の実施の形態によるパケット通信装置及びその動作を示すブロック図及びタイミングチャートである。
【図６】  本発明の第６の実施の形態によるパケット通信システム及びその動作を示すブロック図及びタイミングチャートである。
【図７】  送信側パケット通信装置の動作を示すフローチャートである。
【図８】  受信側パケット通信装置の動作を示すフローチャートである。
【図９】  本発明の第７の実施の形態によるパケット通信システム及びその動作を示すブロック図及びタイミングチャートである。
【図１０】  送信側パケット通信装置の電源断符号セット送信動作を示すフローチャートである。
【図１１】  本発明の第８の実施の形態によるパケット通信システムとしてのギガビットイーサネット（登録商標）通信システム及びその動作を示すブロック図及びタイミングチャートである。
【図１２】  従来のＳＤＨフレームの構造を示す構成図である。
【図１３】  従来のＳＤＨ通信システム及びその動作を示すブロック図及びタイミングチャートである。
【図１４】  従来の送信側ノードの構成を示すブロック図である。
【図１５】  本発明を適用し得る従来の統合ネットワークの構成を示すブロック図である。
【図１６】  図１５の同期通信システム７におけるＳＤＨ方式による信号の構成及びフレーム構造を示す構成図である。
【図１７】  図１５の新通信システム７’において通信を行う信号の一例を示すタイミングチャートである。
【符号の説明】
１０  パケット信号出力部
２０  パケット通信回路
２１  パケット信号送信処理部
２２  送信部
２３  電源断検知部
２４  電力蓄積部
２５  受信部
２６  パケット信号受信処理部
３０  電力供給部
４０  パケット信号入出力部
６０  パケット通信装置本体
７０  電源断符号セット
８０  アイドル符号セット
【図１】
0003712633.tif 000002
【図２】
0003712633.tif 000003
【図３】
0003712633.tif 000004
【図４】
0003712633.tif 000005
【図５】
0003712633.tif 000006
【図６】
0003712633.tif 000007
【図７】
0003712633.tif 000008
【図８】
0003712633.tif 000009
【図９】
0003712633.tif 000010
【図１０】
0003712633.tif 000011
【図１１】
0003712633.tif 000012
【図１２】
0003712633.tif 000013
【図１３】
0003712633.tif 000014
【図１４】
0003712633.tif 000015
【図１５】
0003712633.tif 000016
【図１６】
0003712633.tif 000017
【図１７】
0003712633.tif 000018